(57)【要約】【課題】本発明は制御方法、制御装置、電子機器及びコンピュータ記録媒体を開示する。【解決手段】前記制御方法は、ユーザー肢体と前記ユーザー肢体に固定される制御装置との接触面を検出することにより、前記接触面の、識別対象ジェスチャーを表示する面情報を取得するステップと、少なくとも前記面情報に基づき前記識別対象ジェスチャーを識別し、識別結果を取得するステップと、前記識別結果に基づき被制御装置を制御するステップと、を含む。
2017518597.tif 000002
【特許請求の範囲】
【請求項１】
ユーザー肢体と前記ユーザー肢体に固定される制御装置との接触面を検出することにより、前記接触面の、識別対象ジェスチャーを表示するための面情報を取得するステップと、
少なくとも前記面情報に基づき前記識別対象ジェスチャーを識別し、識別結果を取得するステップと、
前記識別結果に基づき被制御装置を制御するステップと、を含む制御方法。
【請求項２】
前記の少なくとも前記面情報に基づき前記識別対象ジェスチャーを識別し、識別結果を取得することは、
前記面情報を所定のジェスチャーテンプレートにマッチングするステップと、
マッチングに成功した前記ジェスチャーテンプレートに対応した所定のジェスチャーを前記識別対象ジェスチャーと確定するステップと、を含む請求項１に記載の方法。
【請求項３】
前記の識別対象ジェスチャーを取得する前、
前記ユーザーが前記所定のジェスチャーをする時、前記接触面を検出し、前記ジェスチャーテンプレートを取得するステップと、
前記所定のジェスチャーと前記ジェスチャーテンプレートを一対一対応して関連付けて保存するステップと、をさらに含む請求項２に記載の方法。
【請求項４】
前記のジェスチャーテンプレートを取得する前、
所定の規則に従って通知情報を出力して、前記ユーザーに前記所定のジェスチャーをすることを通知するステップをさらに含む請求項３に記載の方法。
【請求項５】
前記の識別対象ジェスチャーを識別する前、
前記ユーザー肢体の変位情報を取得するステップをさらに含み、
前記の少なくとも前記面情報に基づき前記識別対象ジェスチャーを識別し、識別結果を取得することは、前記面情報及び前記変位情報に基づき前記識別対象ジェスチャーを識別し、前記識別結果を取得することである請求項１に記載の方法。
【請求項６】
前記の識別結果に基づき被制御装置を制御することは、
所定の制御命令のうち、前記識別結果に対応した制御命令を照会するステップと、
前記被制御装置が前記制御命令を実行して対応した機能を実現するように、照会した前記制御命令を前記被制御装置に送信するステップと、を含む請求項１〜５のいずれかに記載の方法。
【請求項７】
ユーザー肢体と前記ユーザー肢体に固定される前記制御装置との接触面を検出することにより、前記接触面の、識別対象ジェスチャーを表示するための面情報を取得する取得ユニットと、
少なくとも前記面情報に基づき前記識別対象ジェスチャーを識別し、識別結果を取得する識別ユニットと、
前記識別結果に基づき被制御装置を制御する制御ユニットと、を備える制御装置。
【請求項８】
前記識別ユニットは、
前記面情報を所定のジェスチャーテンプレートとマッチングするマッチングサブユニットと、
マッチングに成功した前記ジェスチャーテンプレートに対応した所定のジェスチャーを前記識別対象ジェスチャーと確定する確定サブユニットと、を備える請求項７に記載の制御装置。
【請求項９】
前記取得ユニットはさらに、前記識別対象ジェスチャーを取得する前、前記ユーザーが前記所定のジェスチャーをする時、前記接触面を検出することにより前記ジェスチャーテンプレートを取得し、前記所定のジェスチャーと前記ジェスチャーテンプレートを一対一対応して関連付けて保存する請求項８に記載の制御装置。
【請求項１０】
前記制御装置は、前記取得ユニットが前記ジェスチャーテンプレートを取得する前、所定の規則に従って通知情報を出力し、前記ユーザーに前記所定のジェスチャーをすることを通知する通知ユニットをさらに備える請求項９に記載の制御装置。
【請求項１１】
前記取得ユニットはさらに、前記識別ユニットが前記識別結果を取得する前、前記ユーザー肢体の変位情報を取得し、
前記識別ユニットは、前記面情報及び前記変位情報に基づき前記識別対象ジェスチャーを識別し、前記識別結果を取得する請求項７に記載の制御装置。
【請求項１２】
前記制御ユニットは、
所定の制御命令のうち、前記識別結果に対応した制御命令を照会する照会サブユニットと、
前記被制御装置が前記制御命令を実行して対応した機能を実現するように、照会した前記制御命令を前記被制御装置に送信する送信サブユニットと、を備える請求項７〜１１のいずれかに記載の制御装置。
【請求項１３】
本体を備える電子機器であって、
本体に装着される接触センサー、及び前記接触センサーに接続されるプロセッサを備え、
前記プロセッサは、前記接触センサーにより、ユーザー肢体と前記ユーザー肢体に固定される前記本体との接触面を検出し、前記接触面の、識別対象ジェスチャーを表示するための面情報を取得し、少なくとも前記面情報に基づき前記識別対象ジェスチャーを識別し、識別結果を取得し、前記識別結果に基づき被制御端末を制御する電子機器。
【請求項１４】
前記プロセッサは、前記面情報を所定のジェスチャーテンプレートとマッチングし、マッチングに成功した前記ジェスチャーテンプレートに対応した所定のジェスチャーを前記識別対象ジェスチャーと確定する請求項１３に記載の電子機器。
【請求項１５】
前記プロセッサはさらに、前記識別対象ジェスチャーを取得する前、前記ユーザーが前記所定のジェスチャーをする時、前記接触センサーにより前記接触面を検出し、前記ジェスチャーテンプレートを取得し、前記所定のジェスチャーと前記ジェスチャーテンプレートを一対一対応して関連付けて保存する請求項１４に記載の電子機器。
【請求項１６】
前記本体に設置され、前記プロセッサに接続され、前記プロセッサが前記ジェスチャーテンプレートを取得する前、所定の規則に従って通知情報を出力し、前記ユーザーに前記所定のジェスチャーを通知する通知装置をさらに備える請求項１５に記載の電子機器。
【請求項１７】
前記本体に設置され、前記プロセッサに接続され、前記プロセッサが前記識別結果を取得する前、前記ユーザー肢体の変位情報を取得する変位センサーをさらに備え、
前記プロセッサは、前記面情報及び前記変位情報に基づき前記識別対象ジェスチャーを識別し、前記識別結果を取得する請求項１３に記載の電子機器。
【請求項１８】
前記プロセッサは、所定の制御命令のうち、前記識別結果に対応した制御命令を照会し、
前記電子機器は、前記被制御端末が前記制御命令を実行して対応した機能を実現するように、照会した前記制御命令を前記被制御端末に送信する送信機をさらに備える請求項１３〜１７のいずれかに記載の電子機器。
【請求項１９】
請求項１〜６のいずれかに記載の制御方法を実行するためのコンピュータプログラムが記録されたコンピュータ記録媒体。
【発明の詳細な説明】
【技術分野】
【０００１】
本発明は、電子技術分野に関し、特に制御方法、装置、電子機器及びコンピュータ記録媒体に関する。
【背景技術】
【０００２】
従来、インテリジェント端末の普及に伴って、異なる使用シーンでの操作ニーズを満たすために、ユーザーは音声制御、人感やタッチ制御等の方式によりインテリジェント端末を操作する。ほとんどのユーザーはタッチ制御方式を採用する。
【０００３】
タッチ制御方式を採用する場合、各種操作を行うのにユーザーは手でタッチパネルをタッチしなければならず、このようにして面倒であり、また、ジョギングやミーティング中、又は端末装置との距離が遠い等の応用シーンでは、ユーザーはタッチ制御で端末装置を制御することが不便である。同様に、音声制御及び人感の方式は、操作方式の原因で、特定の応用シーンに適用できない問題があり、例えばミーティング中、ユーザーは端末を音声制御又は人感制御することが不便であり、さらに、例えば、ユーザーは騒がしい環境で、音声制御により端末装置を正確に制御できない。さらに、例えば、ユーザーが人の多い混雑した環境にいる場合は、人感が正確に検出できない。
【０００４】
上記から分かるように、従来技術では、端末装置を制御するためのより合理的な制御方式がない。
【発明の概要】
【発明が解決しようとする課題】
【０００５】
上記事情に鑑みて、本発明の実施例は制御方法、装置、電子機器及びコンピュータ記録媒体を提供する。
【課題を解決するための手段】
【０００６】
本発明の実施例の技術案は以下のとおりである。
【０００７】
第一態様によれば、本発明の実施例は、ユーザー肢体と前記ユーザー肢体に固定される制御装置との接触面を検出し、前記接触面の、識別対象ジェスチャーを表示するための面情報を取得するステップと、少なくとも前記面情報に基づき前記識別対象ジェスチャーを識別し、識別結果を取得するステップと、前記識別結果に基づき被制御装置を制御するステップと、を含む制御方法を提供する。
【０００８】
第二態様によれば、本発明の実施例は、ユーザー肢体と前記ユーザー肢体に固定される前記制御装置との接触面を検出し、前記接触面の、識別対象ジェスチャーを表示するための面情報を取得する取得ユニットと、少なくとも前記面情報に基づき前記識別対象ジェスチャーを識別し、識別結果を取得する識別ユニットと、前記識別結果に基づき被制御装置を制御する制御ユニットと、を備える制御装置を提供する。
【０００９】
第三態様によれば、本発明の実施例は、本体を備え、本体に搭載される接触センサー、及び、前記接触センサーによりユーザー肢体と前記ユーザー肢体に固定される前記本体との接触面を検出し、前記接触面の、識別対象ジェスチャーを表示するための面情報を取得し、少なくとも前記面情報に基づき前記識別対象ジェスチャーを識別し、識別結果を取得し、前記識別結果に基づき被制御端末を制御するように設置され且つ前記接触センサーに接続されるプロセッサをさらに備える、電子機器を提供する。
【００１０】
第四態様によれば、本発明の実施例は、上記実施例の制御方法を実行するためのコンピュータプログラムが記録されたコンピュータ記録媒体を提供する。
【発明の効果】
【００１１】
本発明の実施例に係る制御方法、装置、電子機器及びコンピュータ記録媒体は、ユーザー肢体と前記ユーザー肢体に固定される制御装置との接触面を検出し、前記接触面の、識別対象ジェスチャーを表示するための面情報を取得し、少なくとも前記面情報に基づき識別対象ジェスチャーを識別し、識別結果を取得し、識別結果に基づき被制御装置を制御し、つまり、ユーザーは自分の肢体に固定された制御装置により自分のジェスチャーを識別し、更に識別したジェスチャーに基づき被制御装置を制御することにより、ユーザー肢体がジェスチャーをすることができる限り、制御装置は、時間や場所の制限を受けることなく、被制御装置を制御でき、このようにして、ほとんどの応用シーンのニーズを満たし、ユーザーが簡単に操作でき、ユーザーエクスペリエンスを向上させる。
【図面の簡単な説明】
【００１２】
【図１】本発明の実施例に係る制御システムの構造模式図である。
【図２】本発明の実施例に係る制御装置の機能ブロック図である。
【図３】本発明の実施例に係る被制御装置の機能ブロック図である。
【図４】本発明の実施例に係る制御方法のフローチャートである。
【図５】本発明の実施例に係るスマートブレスレットをユーザーの手首に着用した時の模式図である。
【図６】本発明の実施例に係るユーザーの手首の模式図である。
【図７】本発明の実施例に係る握りこぶしジェスチャー時の接触面の模式図である。
【図８】本発明の実施例に係る電子機器の機能ブロック図である。
【発明を実施するための形態】
【００１３】
以下、本発明の実施例の図面を参照して、本発明の実施例の技術案を明確かつ完全に説明する。
【００１４】
図１は本発明の実施例に係る制御システムの構造模式図であり、図１に示すように、該制御システムは、制御装置１１及び被制御装置１２を備え、制御装置１１は被制御装置１２に接続されて、被制御装置１２を制御でき、制御装置１１と被制御装置１２は同一電子機器内に設置されてもよく、たとえば、制御装置１１と被制御装置１２がいずれもスマート腕時計内に設置される場合、制御装置１１はスマート腕時計のバンド、被制御装置１２はスマート腕時計の本体に設置されてもよい。
【００１５】
制御装置１１と被制御装置１２はそれぞれ異なる電子機器内に設置されてもよく、たとえば、制御装置１１はスマートブレスレット内に設置され、被制御装置１２はスマートフォン内に設置される。勿論、制御装置１１と被制御装置１２はほかの電子機器内に設置されてもよく、制御装置１１はユーザーが着用可能なウェアラブル装置に設置される限り、本発明において具体的に限定されない。
【００１６】
本実施例では、図２は本発明の実施例に係る制御装置の機能ブロック図であり、図２に示すように、制御装置１１は具体的には、取得ユニット１１１、識別ユニット１１２及び制御ユニット１１３を備え、
取得ユニット１１１は、ユーザー肢体とユーザー肢体に固定される制御装置１１との接触面を検出し、接触面の、識別対象ジェスチャーを表示するための面情報を取得し、
識別ユニット１１２は、少なくとも面情報に基づき、識別対象ジェスチャーを識別して識別結果を取得し、
制御ユニット１１３は、識別結果に基づき、被制御装置を制御する。
【００１７】
好ましくは、識別ユニット１１２は、具体的には、面情報を所定のジェスチャーテンプレートとマッチングするマッチングサブユニットと、マッチングに成功したジェスチャーテンプレートに対応した所定のジェスチャーを識別対象ジェスチャーとして確定する確定サブユニットと、を備える。
【００１８】
好ましくは、取得ユニット１１１はさらに、識別対象ジェスチャーを取得する前、ユーザーが所定のジェスチャーをする時、接触面を検出することによりジェスチャーテンプレートを取得し、所定のジェスチャーとジェスチャーテンプレートを一対一対応して関連付けて保存する。
【００１９】
好ましくは、該制御装置１１は、取得ユニット１１１がジェスチャーテンプレートを取得する前、所定の規則に従って、通知情報を出力し、ユーザーに所定のジェスチャーをすることを通知する通知ユニットをさらに備える。
【００２０】
好ましくは、取得ユニット１１１はさらに、識別ユニット１１２が識別結果を取得する前、ユーザー肢体の変位情報を取得し、この時、識別ユニット１１２は、具体的には、面情報及び変位情報に基づき識別対象ジェスチャーを識別して識別結果を取得する。
【００２１】
好ましくは、制御ユニット１１３は、具体的には、所定の制御命令のうち、識別結果に対応した制御命令を照会する照会サブユニットと、被制御装置１２が制御命令を実行して対応した機能を実現するように、照会した制御命令を被制御装置１２に送信する送信サブユニットと、を備える。
【００２２】
図３は本発明の実施例に係る被制御装置の機能ブロック図であり、図３に示すように、被制御装置１２は、処理モジュール１２１と、処理モジュール１２１からの制御命令に応答して対応した機能を実現できる応答モジュール１２２と、を備えてもよい。たとえば、処理モジュール１２１であるＣＰＵは応答モジュール１２２である音量調節ユニットに音量増加命令を送信すると、応答モジュール１２２は音量を増加させ、さらに、例えば、処理モジュール１２１であるＣＰＵは応答モジュール１２２である表示ユニットに画面ロック命令を送信すると、応答モジュール１２２は画面をロックする。
【００２３】
本発明の実施例に係る制御方法は、上記１つ又は複数の実施例に記載の制御装置１１に適用でき、図４は本発明の実施例に係る制御方法のフローチャートであり、図４に示すように、該制御方法は以下を含む。
【００２４】
Ｓ４０１：ユーザー肢体とユーザー肢体に固定される制御装置との接触面を検出することにより、接触面の、識別対象ジェスチャーを表示するための面情報を取得する。
本実施例では、ユーザー肢体はユーザーの手首であってもよい。
【００２５】
制御装置１１がスマートブレスレット内に設置され、被制御装置１２がスマートフォン内に設置されるとすると、ユーザーはスマートブレスレットを手首に装着する時、図５に示すように、スマートブレスレット５１がユーザー手首５２に密着し、この時、制御装置１１が手首５２の内側領域に接触する。ここで、いわゆる手首５２の内側領域とは、手首の外表面の手のひらと同一側の部分であり、すなわち図６の破線領域である。
【００２６】
ユーザーの指の動きが異なるため、手首５２の内側の指静脈が変化して、手首５２の内側と制御装置１１との接触面も変化し、従って、ユーザーが識別対象ジェスチャーをする時、制御装置１１は手首５２の内側と制御装置１１との接触面を検出することにより、接触面の、上記識別対象ジェスチャーを表示できる面情報を取得することができる。例えば、図７に示すように、ユーザーが「握りこぶし」ジェスチャーをすると、制御装置１１は圧力センサー、ナノインジウムスズ金属酸化物（ＩＴＯ、Ｉｎｄｉｕｍ  Ｔｉｎ  Ｏｘｉｄｅｓ）フィルム等の接触センサーによって、上記接触面７１を検出し、該接触面７１の面情報、例えば面積、形状、領域位置等の情報を取得することができる。
【００２７】
具体的な実施過程では、ユーザーのジェスチャーによって、制御装置１１が検出する接触面は異なり、更に取得する面情報も異なり、また、ユーザーによって、面情報も異なり、当業者は実際の状況に応じて設計すればよく、本発明では具体的に限定されていない。
【００２８】
別の実施例では、該方法は、Ｓ４０１の前、制御装置がユーザー肢体に固定されているか否かを検出するステップをさらに含む。
【００２９】
具体的には、制御装置がユーザー肢体に固定されているか否かを検出する手法として、所属する電子機器がパワーオンされているか否かを検出すること、該電子機器の内側温度が高くなるか否かを検出することなどが挙げられる。
【００３０】
たとえば、ユーザーがスマートブレスレット５１を手首５２に装着した後、スマートブレスレット５１に設置された電源スイッチを手動でオンにし、スマートブレスレット５１をパワーオンし、この時、制御装置１１はユーザーがスマートブレスレットに装着されていると決定でき、制御装置１１もユーザー手首に固定される。
【００３１】
さらに、例えば、ユーザーがスマートブレスレットを手首に装着した後、制御装置１１はスマートブレスレット５１の内表面に設置された温度センサーがスマートブレスレット５１の内側の温度が高くなるか否かを検出することを制御し、温度が高くなると、制御装置１１はユーザーがスマートブレスレットを手首に着用していると決定でき、制御装置１１もユーザーの手首に固定される。
【００３２】
勿論、実際の応用では、ほかの検出方式によって制御装置１１がユーザーの手首に固定されているか否かを検出してもよく、本発明では具体的に限定されていない。
【００３３】
Ｓ４０２：少なくとも面情報に基づき識別対象ジェスチャーを識別して、識別結果を取得する。
具体的な実施過程では、Ｓ４０２では、該面情報を所定のジェスチャーテンプレートとマッチングし、マッチングに成功したジェスチャーテンプレートに対応した所定のジェスチャーを識別対象ジェスチャーとして確定するようにしてもよい。
【００３４】
具体的には、スマートブレスレット５１には、所定のジェスチャーに一対一対応するいくつかのジェスチャーテンプレートが予め設定されてもよく、制御装置１１は上記面情報を取得すると、面情報をこれらのジェスチャーテンプレートとマッチングできる。
【００３５】
実際の応用では、これらのジェスチャーテンプレートは、ユーザーが所定のジェスチャーをする時、制御装置１１がユーザー肢体と制御装置１１との接触面を検出することにより取得したもの、具体的には面積、形状、圧力等の情報であってもよく、つまり、ジェスチャーテンプレートは上記面情報と同類情報である。
【００３６】
それにより、面情報とジェスチャーテンプレートとのマッチングにより、マッチングに成功したジェスチャーテンプレートに対応した所定のジェスチャーを上記識別対象ジェスチャーとして決定できる。たとえば、面情報をジェスチャーテンプレートとマッチングした結果、２番目のジェスチャーテンプレートとのマッチングに成功すると、制御装置１１は２番目のジェスチャーテンプレートに対応した所定のジェスチャー、例えば「握りこぶし」ジェスチャーを、識別対象ジェスチャーとして決定し、つまり、制御装置１１は識別対象ジェスチャーを「握りこぶし」ジェスチャーと識別する。
【００３７】
好ましくは、スマートブレスレット５１を装着するたびに、位置ずれが発生するため、制御装置１１が取得する、同一ジェスチャーを表示する面情報に差異が生じ、更に識別が十分に正確ではなく、従って、識別の正確性を向上させるために、該方法は、Ｓ４０１の前、ユーザーが所定のジェスチャーをする時、接触面を検出することによりジェスチャーテンプレートを取得し、所定のジェスチャーとジェスチャーテンプレートを一対一対応して関連付けて保存するステップをさらに含む。
【００３８】
具体的には、制御装置１１は識別対象ジェスチャーを取得する前、テンプレート事前設定のプロセスを行う必要があり、つまり、制御装置１１は今回のスマートブレスレットの装着位置に応じて、現在のユーザーのジェスチャーテンプレートを取得する必要がある。
【００３９】
好ましくは、ユーザーは所定の規則に従って所定のジェスチャーをする。たとえば、ユーザーは「握りこぶし」、「五指伸ばし」、「親指伸ばし」、「人差し指伸ばし」、「中指伸ばし」、「薬指伸ばし」、「小指伸ばし」の所定の順序に応じて、上記７個の所定のジェスチャーをし、制御装置１１も上記所定のジェスチャーに対応したジェスチャーテンプレートを順に取得し、所定のジェスチャーとジェスチャーテンプレートを一対一対応して関連付けて保存する。
【００４０】
実際の応用では、所定のジェスチャーとジェスチャーテンプレートはテーブルの形式で関連付けて保存されてもよく、データベースの形式で保存されてもよく、本発明では、具体的に限定されていない。
【００４１】
たとえば、所定のジェスチャーとジェスチャーテンプレートをテーブルの形式で関連付けて保存し、ジェスチャーテンプレートが接触面の面積情報であると、所定のジェスチャーとジェスチャーテンプレートの一対一対応した関連関係は表１のように保存されてもよい。
【００４２】
【表１】
2017518597.tif 000003
【００４３】
好ましくは、ユーザーは所定の規則に従って所定のジェスチャーをする時、制御装置１１は通知情報を出力して、ユーザーに所定のジェスチャーをすることを通知し、該通知情報は音声情報、字幕、指示灯の色情報であってもよく、指示灯の点滅回数情報であってもよい。このように、制御装置１１は所定のジェスチャーとジェスチャーテンプレートを対応付ける時、正確に一対一対応付けることができ、更にユーザーが対応付け失敗によって所定のジェスチャーを再びする確率を減少させ、ユーザーの操作の複雑度を低減させ、ユーザーエクスペリエンスを向上させる。
【００４４】
実際の応用では、ほかの方式によってジェスチャーテンプレートを予め設定してもよく、本発明では、具体的に限定されていない。
【００４５】
別の実施例では、ジェスチャーの多様性を向上させるために、接触面の面情報により表示される識別対象ジェスチャー以外、ユーザー肢体の変位情報を組み合わせて識別対象ジェスチャーを表示してもよく、該方法は、Ｓ４０２の前、ユーザー肢体の変位情報を取得するステップをさらに含む。つまり、制御装置１１は位置センサー、ジャイロスコープ又は加速度センサー等により手首５２の変位方向と変位幅を検出して取得することができる。
【００４６】
この場合に、Ｓ４０２では、面情報及び変位情報に基づき識別対象ジェスチャーを識別して、識別結果を取得する。
【００４７】
具体的には、制御装置１１は、Ｓ４０１で面情報を取得する前、面情報を取得した後、又は面情報を取得すると同時に、上記変位情報を取得し、次に、面情報と変位情報を所定のジェスチャーテンプレートとマッチングする。しかし、この場合に、ジェスチャーテンプレートは面情報と変位情報の２種類の情報を含む。最終的に、マッチングに成功したジェスチャーテンプレートに対応した所定のジェスチャーを識別対象ジェスチャーと確定する。
【００４８】
Ｓ４０３：識別結果に基づき被制御装置を制御する。
【００４９】
具体的には、制御装置１１はＳ４０１〜Ｓ４０２では識別対象ジェスチャーを識別した後、所定の制御命令のうち、識別結果に対応した制御命令を照会し、たとえば、制御装置１１が識別対象ジェスチャーを「握りこぶし」ジェスチャーと識別した後、所定の制御命令のうち「握りこぶし」ジェスチャーに対応した制御命令、例えば「画面ロック」命令を取得し、次に、制御装置１１は照会した制御命令を被制御装置１２に送信し、それにより被制御装置１２は制御命令を実行して対応した機能を実現し、たとえば、制御装置１１は「画面ロック」命令を無線伝送方式により被制御装置１２すなわちスマートフォンに送信し、スマートフォンは該命令を受信した後、処理モジュール２１は該命令を実行し、応答モジュール２２すなわち表示ユニットは画面をロックする。別の実施例では、制御装置１１と被制御装置１２が同一電子機器内に設置されると、制御装置１１は有線伝送方式により制御命令を被制御装置１２に送信する。
【００５０】
具体的な実施過程では、制御命令がジェスチャーとテーブルの形式で一対一対応して関連付けて保存される場合、制御装置１１は識別対象ジェスチャーを識別した後、テーブルルックアップ方式により、該ジェスチャーに対応した制御命令を照会できる。制御命令は上記命令に限定されず、「起動」、「シャットダウン」「ロック解除」、「曲の再生」等の命令であってもよく、当業者は実際の状況に応じて設定すればよく、本発明では具体的に限定されていない。
【００５１】
以上のように、ユーザー肢体に固定される制御装置により、ユーザー肢体と制御装置との接触面の、識別対象ジェスチャーを表示するための面情報を取得し、少なくとも上記面情報に基づき識別対象ジェスチャーを識別し、識別結果を取得し、識別結果に基づき被制御装置を制御し、このようにして、ユーザー肢体がジェスチャーをすることができる限り、制御装置は、時間や場所の制限を受けることなく、被制御装置を制御することができ、それにより、ほとんどの応用シーンのニーズを満たし、ユーザーが簡単に操作でき、ユーザーエクスペリエンスを向上させる。
【００５２】
同じ発明の発想によれば、本実施例は電子機器を提供し、該電子機器は具体的にはスマート腕時計やスマートブレスレット等のウェアラブル装置であってもよく、ユーザー肢体に装着できる。該電子機器は被制御端末に接続されて、被制御端末を制御することができ、該被制御端末はスマートフォン、タブレットＰＣ、ウルトラブック又はスマートテレビであってもよい。
【００５３】
図８に示すように、上記電子機器は、本体８１、本体８１に装着される接触センサー８２、及び接触センサー８２に接続されるプロセッサ８３を備え、
プロセッサ８３は、接触センサー８２によりユーザー肢体とユーザー肢体に固定される本体８１との接触面を検出し、接触面の、識別対象ジェスチャーを表示するための面情報を取得し、少なくとも面情報に基づき識別対象ジェスチャーを識別して、識別結果を取得し、識別結果に基づき被制御端末を制御する。
【００５４】
本実施例では、スマートブレスレットを例とし、ユーザーが電子機器を手首に装着した時、柔軟性材料で製造される環状構造の本体８１はユーザーの手首に密着し、本体８１の内側において、ユーザー手首の内側に対向した位置に接触センサー８２が設置され、該接触センサー８２はプロセッサ８３に接続され、プロセッサ８３は本体８１、例えば本体８１の表面に設置されても、本体８１内に設置されて柔軟性材料に包まれてもよく、本発明では具体的に限定されていない。
【００５５】
実際の応用では、上記柔軟性材料はシリコーン、ゴム、延性を有する金属、生地等の弾性と延性を有する材料であってもよく、ほかの材料であってもよく、電子機器がユーザーの手首に装着された時、手首に密着できればよい。接触センサー８２は圧力センサー又はＩＴＯフィルムであってもよく、手首と接触センサー８２との接触面を検出できるセンサーであればよい。
【００５６】
好ましくは、プロセッサ８３は、具体的には、面情報を所定のジェスチャーテンプレートとマッチングし、マッチングに成功したジェスチャーテンプレートに対応した所定のジェスチャーを識別対象ジェスチャーとして確定する。
【００５７】
好ましくは、プロセッサ８３はさらに、識別対象ジェスチャーを取得する前、ユーザーが所定のジェスチャーをする時、接触センサー８２により接触面を検出し、ジェスチャーテンプレートを取得し、所定のジェスチャーをジェスチャーテンプレートに一対一対応して関連付けて保存する。
【００５８】
好ましくは、電子機器は、本体８１に設置され、プロセッサ８３に接続され、プロセッサ８３がジェスチャーテンプレートを取得する前、所定の規則に従って通知情報を出力し、ユーザーに所定のジェスチャーをすることを通知する通知装置８４をさらに備える。
【００５９】
実際の応用では、通知装置８４は具体的には、指示灯、スピーカ及びディスプレイスクリーンのうちの一種又は複数種の組合せであってもよく、勿論、通知方式によって、通知装置８４は他のデバイスであってもよく、本発明では具体的に限定されていない。
【００６０】
好ましくは、電子機器は、プロセッサ８３が識別結果を取得する前、手首の変位情報を取得する変位センサー８５をさらに備え、それに対応して、プロセッサ８３は、具体的には、面情報及び変位情報に基づき識別対象ジェスチャーを識別して、識別結果を取得する。
【００６１】
実際の応用では、変位センサー８５は具体的には位置センサー、ジャイロスコープ又は加速度センサーであってもよく、ほかのタイプのセンサーであってもよく、手首の変位方向と変位幅を検出できればよく、本発明では具体的に限定されていない。
【００６２】
好ましくは、プロセッサ８３は、具体的には、所定の制御命令のうち、識別結果に対応した制御命令を照会し、それに対応して、電子機器は、被制御端末が制御命令を実行して対応した機能を実現するように、照会した制御命令を被制御端末に送信する送信機８６をさらに備える。
【００６３】
当業者は、本発明の実施例は方法、システム、又はコンピュータプログラム製品として提供できると理解すべできである。従って、本発明はハードウェア実施例、ソフトウェア実施例、又はソフトウェアとハードウェアを組み合わせた実施例の形態を採用してもよい。また、本発明はコンピュータ可用プログラムコードを含む１つ又は複数のコンピュータ用記録媒体で実施されるコンピュータプログラム製品の形態を採用してもよく、前記コンピュータ用記録媒体はディスクメモリ又は光学メモリ等を含むが、それらに限定されない。
【００６４】
本発明は本発明の実施例に係る方法、装置（システム）、及びコンピュータプログラム製品のフローチャート及び／又はブロック図を参照して説明された。コンピュータプログラム命令によって、フローチャート及び／又はブロック図の各プロセス及び／又はブロック、及びフローチャート及び／又はブロック図のプロセス及び／又はブロックの組み合わせを実現することができると理解すべきである。これらのコンピュータプログラム命令を汎用コンピュータ、専用コンピュータ、組み込み式プロセッサ又はほかのプログラマブルデータ処理装置のプロセッサに提供して１つのマシンを生成し、それによって、コンピュータ又はほかのプログラマブルデータ処理装置のプロセッサによって実行される命令は、フローチャートの１つのプロセス又は複数のプロセス及び／又はブロックの１つのブロック又は複数のブロックに指定される機能を実現するための装置を生成する。
【００６５】
これらのコンピュータプログラム命令はコンピュータ又はほかのプログラマブルデータ処理装置が特定の方式で動作できるようにガイドできるコンピュータ読取可能な記録装置に記録されてもよく、それによって、該コンピュータ読取可能な記録装置に記録された命令は、命令装置を含む製品を生成し、該命令装置はフローチャートの１つのプロセス又は複数のプロセス及び／又はブロック図の１つのブロック又は複数のブロックに指定された機能を実現する。
【００６６】
これらのコンピュータプログラム命令はコンピュータ又はほかのプログラマブルデータ処理装置に搭載されてもよく、コンピュータ又はほかのプログラマブル装置で一連の操作ステップを実行してコンピュータ実現処理を生成し、それによりコンピュータ又はほかのプログラマブル装置で実行される命令はフローチャートの１つのプロセス又は複数のプロセス及び／又はブロック図の１つのブロック又は複数のブロックに指定された機能を実現するためのステップを提供する。
【００６７】
それに対して、本発明の実施例は、本発明の実施例の制御方法を実行するためのコンピュータプログラムが記録されたコンピュータ記録媒体をさらに提供する。
【００６８】
以上、本発明の好ましい実施例を説明したが、本発明の保護範囲を限定するものではない。
【産業上の利用可能性】
【００６９】
本発明に係る実施例によれば、ユーザーは自分の肢体に固定される制御装置により自分の作るジェスチャーを識別して、更に識別したジェスチャーにより被制御装置を制御することができ、それにより、ユーザー肢体がジェスチャーをすることができる限り、制御装置は、時間や場所の制限を受けることなく、被制御装置を制御でき、このようにして、ほとんどの応用シーンのニーズを満たし、ユーザーが簡単に操作でき、ユーザーエクスペリエンスを向上させる。
【図１】
2017518597.tif 000004
【図２】
2017518597.tif 000005
【図３】
2017518597.tif 000006
【図４】
2017518597.tif 000007
【図５】
2017518597.tif 000008
【図６】
2017518597.tif 000009
【図７】
2017518597.tif 000010
【図８】
2017518597.tif 000011
【国際調査報告】
2017518597.tif 000012
2017518597.tif 000013
2017518597.tif 000014
2017518597.tif 000015